(57)【要約】【課題】  抵抗力、摩擦力を減少させ、ドリルビットの使用寿命を延ばし、環境保護コンセプトを達成、市場競争力を向上させることを特徴とするドリルビットの提供。【解決手段】  ドリルビットは主に、円柱型一端のねじれ部及びもう一端の挟持部により構成されており、その内ねじれ部は、少なくとも一組の螺旋凹部及び逃がし部を含み、また、ドリルビットのねじれ部ヘッドは、尖端波線から少なくとも一組のカッター歯を延伸させ、且つ、そのカッター歯の延伸部位は逃がし部に相隣しており、その逃がし部の側辺には、ある一定の幅を持つ歯帯を形成、その歯帯の幅はねじれ部ヘッドより延伸する挟持部に向かってある一定幅に徐々に縮小するかゼロまで徐々に縮小しており、歯帯前段の幅は歯帯後段の幅より広くなっており、これにより、ドリルビットを作業部品に貫入する場合に受ける、抵抗力、摩擦力、接触面積、及び寿命などの効果を改善する。【選択図】        図１
0003125459.tif 000002
【実用新案登録請求の範囲】
【請求項１】
ドリルビットは、一端のねじれ部、及びもう一端の挟持部により構成されており、その内ねじれ部は、少なくとも一組の螺旋凹部及び逃がし部を含み、ドリルビットのねじれ部ヘッドは、その尖端波線から少なくとも一組のカッター歯を延伸させ、且つ、そのカッター歯の延伸部位は逃がし部に相隣しており、その逃がし部の側辺には、ある一定の幅を持つ歯帯を形成、その歯帯の幅はねじれ部ヘッドより延伸する挟持部に向かってある一定幅に徐々に縮小するかゼロまで徐々に縮小しており、歯帯前段の幅は歯帯後段の幅より広いことを特徴とするドリルビットの構造。
【請求項２】
請求項１記載のドリルビットの構造において、この徐々に縮小する一定幅の歯帯の長さは、0.2ｍｍ〜7.0ｍｍ間であることを特徴とするドリルビットの構造。
【請求項３】
請求項１記載のドリルビットの構造において、ドリルビットの穴径は0.3ｍｍより小さいことを特徴とするドリルビットの構造。
【考案の詳細な説明】
【技術分野】
【０００１】
本考案のドリルビットの構造は、特に、ドリルビットの歯帯に行った設計を指すものであり、ドリルビットを作業部品に貫入する場合に受ける抵抗力、摩擦力、接触面積、及び寿命などの効果を改善するものである。
【背景技術】
【０００２】
通信機器、家電が携帯化、軽薄化に向かい発展、成長を遂げる中、機械業界と電子業界の技術は、既に離れることのできない段階に至っている。例を挙げると、一般の印刷回路基板（PCB: Printed Circuit Board）は、電子業界においては欠かすことのできない材料である。また、一種の切削工具であるドリルビットは機械加工業において常に使用されているものであるが、よく知られているドリルビットは、金属部品に迅速且つ簡単に穴を開ける道具であるが、実際は、例えば印刷回路基板(PCB)等の高精密部品の穴あけにも応用されている。それは寿命が長く、貫通率も高い故、非常に好まれて使用されている。ドリルビット業界と印刷回路基板(PCB)業が互いに相関性を持つと言っても過言ではない。
【０００３】
また、パソコン、通信及び家電が高精密化、軽薄化、携帯化に向かい発展していることが、印刷回路基板(PCB)に影響を与え、印刷回路基板(PCB)は多層化、高密度化及び可撓性化に向かい発展を遂げており、高密度細線、小孔、薄型多層構造の印刷回路基板(PCB)は、現在発展を続けている商品の傾向である。ソフトボードやＦＣ(Flip Chip)ボードの需要の向上に従い、印刷回路基板(PCB)においてもまた小孔径のドリルビットの需要が向上、知らず知らずの内に、市場におけるドリルビットの質、量向上の要望も高まっている。
【０００４】
ドリルビットは印刷回路基板(PCB)生産過程において必要な消耗品であり、印刷回路基板(PCB)業界の景気も持続して好調である故、それに関連してドリルビット等消耗材の景気も上昇している。電子業界はコストダウンの為、消耗材の使用周期を延長もしくは改善しようと試みており、特に製造過程において最大消耗材であるドリルビットの、生産キャパシティの良好化、及び製品不良率の低下の為に、そのドリルビット消耗材の正常交換と寿命は、特別重要視される結果となっている。
【０００５】
しかしながら、従来のドリルビット歯の設計上の不都合から、作業部品に穴を開ける場合、極めて大きな抵抗力が働き、相対する摩擦力も大きく、接触面積も広いことから、ドリルビットの使用寿命の短縮を招いている。
【考案の開示】
【考案が解決しようとする課題】
【０００６】
本考案の主な目的は、従来におけるドリルビット歯帯の設計不良により引き起こされる寿命短縮等欠点を克服、穴を開ける場合、小抵抗力、小摩擦力、小接触面で、使用寿命を50％アップさせ、また、環境保護コンセプトを達成、市場競争力を向上させるドリルビットを提案することにある。
【０００７】
本考案の次の目的は、更に、ドリルビットの穴径が0.3ｍｍより小さく、ドリルビットの歯帯の長さが0.2〜7.0ｍｍ間であり、良好に安定した穴あけを行えるドリルビットを提案することにある。
【課題を解決するための手段】
【０００８】
請求項１の考案は、ドリルビットは、一端のねじれ部、及びもう一端の挟持部により構成されており、その内ねじれ部は、少なくとも一組の螺旋凹部及び逃がし部を含み、ドリルビットのねじれ部ヘッドは、その尖端波線から少なくとも一組のカッター歯を延伸させ、且つ、そのカッター歯の延伸部位は逃がし部に相隣しており、その逃がし部の側辺には、ある一定の幅を持つ歯帯を形成、その歯帯の幅はねじれ部ヘッドより延伸する挟持部に向かってある一定幅に徐々に縮小するかゼロまで徐々に縮小しており、歯帯前段の幅は歯帯後段の幅より広いことを特徴とするドリルビットの構造としている。
請求項２の考案は、請求項１記載のドリルビットの構造において、この徐々に縮小する一定幅の歯帯の長さは、0.2ｍｍ〜7.0ｍｍ間であることを特徴とするドリルビットの構造としている。
請求項３の考案は、請求項１記載のドリルビットの構造において、ドリルビットの穴径は0.3ｍｍより小さいことを特徴とするドリルビットの構造としている。
【考案の効果】
【０００９】
本考案ドリルビットの歯帯14の幅は、ねじれ部ヘッド13から延伸する挟持部12に向かってある一定幅に徐々に縮小されるか、ゼロまで徐々に縮小されており、歯帯14後段の幅が徐々に縮小されている故に、それに伴って抵抗力、摩擦力もまた減少、また、ドリルビット1の使用寿命も50％アップ、また、環境保護コンセプトを達成、市場競争力を向上させる等長所や実用価値に溢れていることを特徴とする。
【考案を実施するための最良の形態】
【００１０】
本考案はドリルビットの構造に関するものであり、図１に、本考案の良好実施例を示す。ドリルビット1は主に、円柱型一端のねじれ部11及びもう一端の挟持部12により構成されており、その内、挟持部12は、ドリル工具の頭に挟み込み固定するものであり、また、ねじれ部11は、少なくとも一組の螺旋凹部112及び逃がし部111を含む。また、ドリルビット1のねじれ部ヘッド13は、円錐形を呈しており、その尖端波線から少なくとも一組のカッター歯131を延伸させ、且つ、そのカッター歯131の延伸部位は逃がし部111に相隣しており、その逃がし部111の側辺には、ある一定の幅を持つ歯帯14を形成している。
【００１１】
上述の構成要素による本考案ドリルビットの技術特徴実施例は、下記のとおりである。
図１、２、３、４に、本考案の外観表示図、図１のＡ−Ａ断面表示図、図１のＢ−Ｂ断面表示図、第１のＣ−Ｃ断面表示図を示す。その内、歯帯14の幅はねじれ部ヘッド13から挟持部12に向かい、ある一定の幅に徐々に縮小されていくかゼロになるまで徐々に縮小されており、即ち、歯帯14前段の幅は、図２に示した幅から、図３に示す歯帯14後段の幅より広い幅となった後、図４に示す歯帯14幅ゼロとなる。この徐々に縮小する一定幅の歯帯14の最良長さは、0.2ｍｍ〜7.0ｍｍ間であり、更にドリルビット1の穴径が0.3ｍｍより小さくなる場合は最良の安定した穴あけを行うことができる。
【００１２】
以上の説明により明確に知るべきところは、本考案は、歯帯14の幅が従来の幅から、ねじれ部ヘッド13より延伸する挟持部12に向かって徐々に縮小する一定長さを持つ幅（0.2ｍｍ〜7.0ｍｍ間）に設計されており、ドリルビット1で部品を切削する場合、主に、ねじれ部ヘッド13、カッター歯131と歯帯14前段によって切削作業が行われ、歯帯14後段の仕事分量は前段に比べ少ない故、歯帯14の幅はねじれ部ヘッド13から延伸する挟持部12に向かってある一定幅に徐々に縮小するか、ゼロまで徐々に縮小される。この構造は特に、切削の正常作業に影響しない他、作業部品の残り屑をねじれ部11上の螺旋凹部112及び逃がし部111より作業部品表面外にスムーズに排出することができ、更に、ドリルビット1を作業部品に貫入する場合は、従来品の歯帯14前後段の幅が皆同じである故に引き起こされる、抵抗力、摩擦力、接触面積、及び寿命などの効果が相対的に影響を受ける欠点を有効的に改善する。
【図面の簡単な説明】
【００１３】
【図１】本考案の外観表示図である。
【図２】本考案図１のＡ−Ａ断面表示図である。
【図３】本考案図１のＢ−Ｂ断面表示図である。
【図４】本考案図１のＣ−Ｃ断面表示図である。
【符号の説明】
【００１４】
１        ドリルビット
１１      ねじれ部
１１１    逃がし部
１１２    螺旋凹部
１２      挟持部
１３      ねじれ部ヘッド
１３１    カッター歯
１４      歯帯
【図１】
0003125459.tif 000003
【図２】
0003125459.tif 000004
【図３】
0003125459.tif 000005
【図４】
0003125459.tif 000006